(57)【要約】  中心部分なしリムと、前記中心部分なしリムに沿って転動する形状を有する第１ローラーガイドであって、回転する第１ローラーガイドと前記第１中心部分なしリムとの間の摩擦によって前記第１中心部分なしリムが第１ローラーガイドの転動に応じた回転をする第１ローラーガイドと、を有するポンプに関する。前記中心部分なしリムに沿って転動する形状を有する第２ローラーガイドと、前記中心部分なしリムと結合した複数の蠕動ローラーと、前記複数の蠕動ローラーの近傍に配置されたチューブ筺体と、前記チューブ筺体と前記複数の蠕動ローラーの間に配置されたチューブであって、前記中心部分なしリムが回転すると、前記複数の蠕動ローラーが前記チューブを前記チューブ筺体に押しつけて圧縮して、前記チューブ内部に負圧を発生させるチューブと、をさらに含む。【代表図】  図１Ａ
2019515174.tif 000002
【特許請求の範囲】
【請求項１】
第１中心部分なしリムと、
前記第１中心部分なしリムに沿って転動する形状を有する第１ローラーガイドであって、第１ローラーガイドが回転すると、第１ローラーガイドと前記第１中心部分なしリムとの間の摩擦によって前記第１中心部分なしリムが第１ローラーガイドの転動に応じた回転をする第１ローラーガイドと、
前記第１中心部分なしリムに沿って転動する形状を有する第２および第３ローラーガイドと、
前記第１中心部分なしリムと結合した複数の蠕動ローラーと、
前記複数の蠕動ローラーの近傍に配置されたチューブ筺体と、
前記チューブ筺体と前記複数の蠕動ローラーの間に配置されたチューブと、
前記チューブと連結した貯蔵器であって、前記第１中心部分なしリムが回転すると、前記複数の蠕動ローラーが前記チューブを前記チューブ筺体に押しつけて圧縮し、負圧を発生させて貯蔵器から材料を前記チューブ内に吸引する貯蔵器と、
第２中心部分なしリムに連結したレバーと、
前記第１ローラーガイドと機械的に連結した第４ローラーガイドであって、前記第２中心部分なしリムに沿って転動する形状を有し、前記第２中心部分なしリムが回転すると、第４ローラーガイドと前記第２中心部分なしリムの間の摩擦によって前記第２中心部分なしリムの回転に対応する回転を第４ローラーガイドがする第４ローラーガイドと、
前記第２中心部分なしリムに沿って転動する形状を有する第５および第６ローラーガイドと、を有するポンプ。
【請求項２】
前記第１ローラーガイドと前記第４ローラーガイドとを機械的に連結する、逆転防止軸受と第１遊星ギアをさらに有する請求項１に記載するポンプ。
【請求項３】
前記第１遊星ギアと連結した第２遊星ギアをさらに有する請求項２に記載するポンプ。
【請求項４】
前記レバーが第一の方向に動かされると前記第１ローラーガイドが回転し、前記レバーが第二の方向に動かされると前記第１ローラーガイドが回転しないように前記逆転防止軸受が構成されている請求項２に記載するポンプ。
【請求項５】
前記第１ローラーガイドは前記第４ローラーガイドと直接連結し、前記第４ローラーガイドがどのように回転しても、その回転に対応する同じ回転を前記第１ローラーガイドが行う請求項１に記載するポンプ。
【請求項６】
前記貯蔵器は前記第１中心部分なしリムと前記第２中心部分なしリムの中心部の空隙の中に配置される請求項１に記載するポンプ。
【請求項７】
前記レバーの回転軸は前記第１中心部分なしリムと前記第２中心部分なしリムの中心点を通る請求項１に記載するポンプ。
【請求項８】
前記第２ローラーガイドは前記第５ローラーガイドとは連結し、前記第３ローラーガイドは前記第６ローラーガイドとは連結している請求項１に記載するポンプ。
【請求項９】
前記第１中心部分なしリムと結合した中心部なしプレートをさらに有し、前記複数の蠕動ローラーは前記中心部なしプレートを介して前記第１中心部分なしリムに結合した請求項１に記載するポンプ。
【請求項１０】
前記チューブの一端にあり、前記材料を吐出するノズルをさらに有する請求項１に記載するポンプ。
【請求項１１】
前記複数の蠕動ローラーのそれぞれは前記第１中心部分なしリムに動かないように結合された支軸上にある請求項１に記載するポンプ。
【請求項１２】
前記第１中心部分なしリムと前記第２中心部分なしリムの少なくとも一部を囲むポンプ筺体と、
前記第５ローラーガイドを軸支し、前記ポンプ筺体に軸止された第１支軸と、
前記第６ローラーガイドを軸支し、前記ポンプ筺体に軸止された第２支軸と、をさらに有する請求項１に記載するポンプ。
【請求項１３】
前記第１支軸は、ばね付勢されて外向きの力を受けて前記第２中心部分なしリムを押している請求項１２に記載するポンプ。
【請求項１４】
中心部分なしリムと、
前記中心部分なしリムに沿って転動する形状を有する第１ローラーガイドであって、第１ローラーガイドが回転すると、第１ローラーガイドと前記中心部分なしリムとの間の摩擦によって前記中心部分なしリムが第１ローラーガイドの転動に応じた回転をする第１ローラーガイドと、
前記中心部分なしリムに沿って転動する形状を有する第２ローラーガイドと、
前記中心部分なしリムと結合した複数の蠕動ローラーと、
前記複数の蠕動ローラーの近傍に配置されたチューブ筺体と、
前記チューブ筺体と前記複数の蠕動ローラーの間に配置されたチューブであって、前記中心部分なしリムが回転すると、前記複数の蠕動ローラーが前記チューブを前記チューブ筺体に押しつけて圧縮して、前記チューブ内部に負圧を発生させるチューブと、を有するポンプ。
【請求項１５】
前記第１ローラーガイドと機械的に連結して前記第１ローラーガイドを回転させるモーターをさらに有する請求項１４に記載するポンプ。
【請求項１６】
前記モーターと前記第１ローラーガイドと機械的に連結する遊星ギアをさらに有する請求項１５に記載するポンプ。
【請求項１７】
前記モーターに電力を供給する電池であって、前記中心部分なしリムの空隙の中に保持される電池をさらに有する請求項１５に記載するポンプ。
【請求項１８】
前記モーターに接続され、前記モーターに電力を供給する太陽電池パネルをさらに有する請求項１５に記載するポンプ。
【請求項１９】
前記モーターは直流（ＤＣ）であり、６０００回転／分（ＲＰＭ）より速い速度で運転可能である請求項１５に記載するポンプ。
【請求項２０】
前記中心部分なしリムの空隙の中に保持される材料の貯蔵器をさらに有する請求項１４に記載するポンプ。
【請求項２１】
前記材料には石鹸、ローション、シロップまたは蜂蜜のうちの一つを含む消費者向け流体が含まれる請求項２０に記載するポンプ。
【請求項２２】
前記チューブはは前記貯蔵器に接続されて、前記チューブ内の前記負圧によって前記材料が前記貯蔵器から吸引されて前記チューブ中に入る請求項２０に記載するポンプ。
【請求項２３】
前記中心部分なしリムと結合した中心部分なしプレートをさらに有し、前記複数の蠕動ローラーが前記中心部分なしプレートを介して前記中心部分なしリムに結合した請求項１４に記載するポンプ。
【請求項２４】
前記複数の蠕動ローラーのそれぞれに用いられる支軸は前記中心軸なしプレートに動かないように軸止されており、前記複数の蠕動ローラーのそれぞれは前記支軸の周りを自由に回転できる請求項２３に記載するポンプ。
【請求項２５】
中心部分なしリムと、
前記中心部分なしリムに沿って転動する形状を有する第１ローラーガイドであって、第１ローラーガイドが回転すると、第１ローラーガイドと前記中心部分なしリムとの間の摩擦によって前記中心部分なしリムが第１ローラーガイドの転動に応じた回転をする第１ローラーガイドと、
前記第１ローラーガイドに連結して前記第１ローラーガイドを回転駆動するモーターと、
前記中心部分なしリムに沿って転動する第２ローラーガイドと、
前記中心部分なしリムと結合した複数の蠕動ローラーと、
前記複数の蠕動ローラーの近傍に配置されたチューブ筺体と、
前記チューブ筺体と前記複数の蠕動ローラーの間に配置されたチューブであって、前記中心部分なしリムが回転すると、前記複数の蠕動ローラーが前記チューブを前記チューブ筺体に押しつけて圧縮して、前記チューブ内部に負圧を発生させるチューブと、
材料の貯蔵器であって、前記チューブが接続され、前記負圧によって該材料が貯臓器からチューブの中に吸引される貯蔵器と、
を有する蠕動ポンプを有するシステム。
【発明の詳細な説明】
【技術分野】
【０００１】
本明細書中で説明する実施形態は中心部分なしポンプに関する。
【背景技術】
【０００２】
中心部に動くパーツ、支持部材または他の部品を有するポンプがある。一つのそのようなタイプのポンプには蠕動型ポンプが含まれる。蠕動型ポンプの中では連続する複数のローラーがチューブの異なる部分上を進みながら、これらの連続する複数のローラーがチューブを圧縮して強制的に流体（例えば、液体または気体）をチューブの中を通していく。
【０００３】
本願明細書中で開示する特許請求する発明主題は、任意の不都合な点を解消する実施形態または上記したような環境でのみ動く実施形態に限定されない。むしろ、本背景技術は説明するいくつかの実施形態が実施される技術分野の一例を示すために提案するものである。
【発明の概要】
【０００４】
本願明細書の一つ以上の実施形態は、中心部分なしリムおよび所定の形状を有し前記中心部分なしリムに沿って転動する第１ローラーガイドを含み、前記第１ローラーガイドが回転しながら、前記第１ローラーガイドと前記中心部分なしリムの間の摩擦によって前記中心部分なしリムがその回転に応じた回転をするポンプを含むものでよい。このポンプはさらに所定の形状を有し前記中心部分なしリムに沿って転動する第２ローラーガイドおよび前記中心部分なしリムと結合した複数の蠕動ローラーを含むものでよい。このポンプはさらに前記複数の蠕動ローラーの近傍に配置されたチューブ筺体と前記チューブ筺体と前記複数の蠕動ローラーの間に配置されたチューブを含み、前記中心部分なしリムが回転すると前記複数の蠕動ローラーが前記チューブを前記チューブ筺体に押しつけて圧縮して前記チューブ内に負圧を発生させるものでよい。
【０００５】
本明細書の目的と有利な点は、特許請求の範囲で指摘する構成要素、特徴および組み合わせによって実現され、達成される。
【０００６】
前記した一般的な説明と後記する詳細な説明は、例として挙げられているものであり、説明のためのものであり、特許請求の範囲の発明を限定するものではない。
【図面の簡単な説明】
【０００７】
例示する実施形態は、添付する図面を用いて次の発明の詳細な説明によって記載され、説明される。添付する図面は以下の内容である。
【図１Ａ】図１Ａは実施例の中心部分なしポンプの第一斜視図を表す。
【図１Ｂ】図１Ｂは図１Ａの実施例の中心部分なしポンプの第二斜視図を表す。
【図２】図２はモーターを有する実施例の中心部分なしポンプの斜視図を表す。
【図３Ａ】図３Ａは実施例の手動中心部分なしポンプの第一斜視図を表す。
【図３Ｂ】図３Ｂは図３Ａの実施例の中心部分なしポンプの第二斜視図を表す。
【図４】図４は貯蔵器を有する実施例の中心部分なしポンプの第一斜視図を表す。
【図５Ａ】実施例のポンプの一部分の断面図を表す。
【図５Ｂ】実施例のポンプの一部分の断面図を表す。
【発明を実施するための形態】
【０００８】
本明細書が開示する内容は中心部分なしポンプに関する。所定の実施形態ではそのようなポンプは一つ以上の蠕動用ローラーを備える中心部分なしリムを含み、該一つ以上の蠕動用ローラーは該中心部分なしリムと結合している。前記中心部分なしリムが回転することによって、前記一つ以上の蠕動用ローラーが回動してチューブをチューブ筺体に押しつけて圧縮し、蠕動するように働く。例えば、チューブをチューブ筺体に押しつけて圧縮すること、および前記一つ以上の蠕動用ローラーが転動することによって、前記一つ以上の蠕動用ローラーの後ろのチューブの中に負圧が発生して、前記一つ以上の蠕動用ローラーの後ろのチューブ内に材料を吸引する。さらに、チューブ内の材料については、前記一つ以上の蠕動用ローラーが回動することによって、前記一つ以上の蠕動用ローラーの前の材料をチューブから押し出す。
【０００９】
本願発明の中心部分なしポンプはさらに所定の形状を有する第１ローラーガイドを含み、前記中心部分なしリムが回転しながら、第１ローラーガイドに沿って前記中心部分なしリムが転動することができる。前記中心部分なしリムと前記第１ローラーガイドとの間の静的摩擦のために、前記第１ローラーガイドが回転するとその回転に応じて前記中心部分なしリムが回転し、前記一つ以上の蠕動用ローラーが回動することになる。前記第１ローラーガイドは手動（例えば、レバーアーム）により駆動されてもいいし、動力（例えば、モーター）よって駆動されてもよい。本願発明の中心部分なしポンプは前記中心部分なしリムの回転を支持する、または支持しなくても前記中心部分なしリムの回転動作をガイドする別のローラーガイドを一つ以上含んでもよい。本明細書の開示する動作、相対的位置を説明するのを容易にするため「中心」を指す点を述べているが、本願発明の中心部分なしポンプは前記中心部分なしリムの中心部分に材料がまったく無い。所定の実施形態では、本願発明の中心部分なしポンプの中に形成されたこの空洞部分を用いて材料（例えば、本願発明の中心部分なしポンプにより送出される流体）の貯蔵器、電池、モーターまたは本願発明の中心部分なしポンプの他の部品を収容してもよい。
【００１０】
本明細書が開示する実施形態を、添付図面を参照して説明する。
【００１１】
図１Ａと図１Ｂは（それぞれ）本明細書が開示する一つ以上の実施形態にしたがう同一の実施例の中心部分なしポンプ１００の第一および第二斜視図である。中心部分なしポンプ１００は中心部分なしリム１０５と第１ローラーガイド１１０（図１中に見える）を含み、これらは中心部分なしリム１０５が回転しながら、中心部分なしリム１０５が第１ローラーガイド１１０に沿って転動するような形状および構造になっているものでよい。中心部分なしリム１０５と第１ローラーガイド１１０の間の静的摩擦のため、第１ローラーガイド１１０の回転によって、中心部分なしリム１０５が第１ローラーガイド１１０に沿って転動すると、第１ローラーガイド１１０の回転に応じて中心部分なしリム１０５が回転できる。例えば、中心部分なしリム１０５と第１ローラーガイド１１０の間に静的摩擦があるため、第１ローラーガイド１１０が回転する時に、第１ローラーガイド１１０の回転が中心部分なしリム１０５を駆動することができる。中心部分なしリム１０５は第１ローラーガイド１１０および一つ以上の他のローラーガイド１１５（例えば、第２ローラーガイド１１５ａおよび第３ローラーガイド１１５ｂ）によって吊るされていてもよい。中心部分なしリム１０５が吊るされ第１ローラーガイド１１０が回転するので、第１ローラーガイド１１０並びに第２および第３ローラーガイド１１５ａ、１１５ｂを含む平面内で中心部分なしリム１０５がその中心部分なしリム１０５の中心点を回転中心として回転する。このような実施形態および他の実施形態において、中心部分なしリム１０５に沿って第１ローラーガイドが転動することによって、中心部分なしリム１０５が中心部分なしリム１０５の中心点を回転中心として回転することができる。
【００１２】
所定の実施形態においては、第１ローラーガイド１１０並びに第２および第３ローラーガイド１１５ａ、１１５ｂは筺体１４５または中心部分なしリム１０５のケースによって支持される。例えば、筺体１４５は中心部分なしリム１０５、第１ローラーガイド１１０並びに第２および第３ローラーガイド１１５ａ、１１５ｂを守る外骨格板として機能するものでよい。特に、第１ローラーガイド１１０の支軸は筺体１４５に結合し、中心部分なしリム１０５がその中心点を回転中心として回転する時に第１ローラーガイド１１０がその支軸の周りを回転する以外に第１ローラーガイド１１０が筺体１４５に対して動かないようにするものでよい。別の実施例として、第２および／または第３ローラーガイド１１５ａ、１１５がその支軸の周りを回転する以外は筺体１４５に対して動かないように、第２および／または第３ローラーガイド１１５ａ、１１５ｂの支軸は筺体１４５に動かないように結合するものでよい。このような実施形態または他の実施形態において、支軸の一端または両端が筺体１４５に動かないように結合されるものでよい。
【００１３】
所定の実施形態では、第１ローラーガイド１１０並びに／または第２および第３ローラーガイド１１５ａ、１１５ｂの筺体１４５に対する配置によって、筺体１４５内における中心部分なしリム１０５の回転軌道が画定し、制限され、ガイドされ、さもなければ制御される。別の言い方をすれば、第１ローラーガイド１１０を回転させて、その場合、第１ローラーガイド１１０並びに／または第２および第３ローラーガイド１１５ａ、１１５ｂが筺体１４５に動かないように結合しているので、中心部分なしリム１０５は第１ローラーガイド１１０並びに第２および第３ローラーガイド１１５ａ、１１５ｂに沿って転動しながら、中心部分なしリム１０５の中心点を回転中心として回転するものでよい。所定の実施形態では、中心部分なしリム１０５は筺体１４５の部品と接触しないで回転できる。
【００１４】
中心部分なしリム１０５の外形は第１ローラーガイド１１０の外形と合致するものでよい。例えば、中心部分なしリム１０５が凹型形状を有するのならば、第１ローラーガイド１１０は対応する凸型形状を有するものにすればよい。中心部分なしリム１０５と第１ローラーガイド１１０の間で適当な摩擦が生じるように（例えば、滑りを防ぐ）これらの外形を選択すればよい。さらに、または代わりに、中心部分なしリム１０５の回転を支持するように、または同回転の物理的経路をガイドするように、これらの外形を選択することもできる。所定の実施形態では、第２および第３ローラーガイド１１５ａ、１１５ｂも第１ローラーガイド１１０と同じまたは類似する外形を有してもよい。
【００１５】
所定の実施形態では、第１ローラーガイド１１０は手動による駆動機構部で、または動力のよる駆動機構部により回転駆動できる。例えば、第１ローラーガイド１１０をクランク、レバーまたは他の部品と連結させ、このような部品を用いてユーザーが第１ローラーガイド１１０を回転させて中心部分なしポンプ１００を運転させてもよい。別の実施例では、第１ローラーガイド１１０は第１ローラーガイド１１０を回転させるモーターと連結させてよい。このような実施形態または他の実施形態においては、ギアやギアボックス等が第１ローラーガイド１１０と駆動機構部の間に配置されてもよい。例えば、一つ以上の遊星ギアが駆動機構部と第１ローラーガイド１１０の間に設けることができる。このような実施形態または他の実施形態においては、駆動機構部と第１ローラーガイド１１０の間のギア比は５：１から１：５、１：１から１：５、５：１から１：１、１：１から１：３または１：１から１：１．５を含むものでよい。
【００１６】
所定の実施形態では、第１ローラーガイド１１０を駆動するか、さもなければ回転させる駆動機構部と第１ローラーガイド１１０は連結させてよい。例えば、第１ローラーガイド１１０はクランク、レバーまたは他の部品と連結し、このような部品によってユーザーが第１ローラーガイド１１０を回転させて手動で中心部分なしポンプ１００を運転することができる。別の実施形態では、第１ローラーガイド１１０は第１ローラーガイド１１０を回転させるモーターと連結させてよい。このような実施形態または他の実施形態においては、ギアやギアボックス等が第１ローラーガイド１１０と駆動機構部の間に連結されてもよい。例えば、一つ以上の遊星ギアが第１ローラーガイド１１０と駆動機構部の間に配置されてもよい。このような実施形態または他の実施形態においては、駆動機構部と第１ローラーガイド１１０の間のギア比は概ね５：１から１：５、１：１から１：５、５：１から１：１、１：１から１：３または１：１から１：１．５を含むものでよい。
【００１７】
所定の実施形態では、第１ローラーガイド１１０はキー、歯または他の特徴部品を含み、これら部品が第１ローラーガイド１１０を駆動機構部の支軸または他の部品と係合または係止させてもよい。歯または他の特徴部品を用いれば、駆動機構部の支軸または他の部品が回転する時、第１ローラーガイド１１０も連動して回転させることができる。図５Ａおよび図５Ｂを参照して、そのような特徴部品の例を示され、および／または説明する。
【００１８】
所定の実施形態では、第１ローラーガイド１１０が駆動されるだけでなく、第２ローラーガイド１１５ａと第３ローラーガイド１１５ｂのいずれか、または両方が駆動されてもよい。例えば、所定の実施形態では、第１ローラーガイド１１０と第２ローラーガイド１１５ａとを駆動することができる。このような実施形態または他の実施形態においては、第１ローラーガイド１１０、第２ローラーガイド１１５ａおよび第３ローラーガイド１１５ｂのすべてを駆動してもよい。
【００１９】
第１ローラーガイド１１０並びに第２および第３ローラーガイド１１５ａ、１１５ｂは中心部分なしポンプの周囲の様々な位置に配置できる。例えば、図１ａと図１ｂの中心部分なしリム１０５をクロック時計の面に例えると、第１ローラーガイド１１０を６時の位置と３時の位置の間に配置し、第２ローラーガイド１１５ａを６時の位置と９時の位置の間に配置し、第３ローラーガイド１１５ｂを９時の位置と３時の位置の間に配置することができる。図１Ａと図１Ｂに示されるように、第１ローラーガイド１１０を４時の位置に配置し、第２ローラーガイド１１５ａを８時の位置の間に配置し、第３ローラーガイド１１５ｂを１２時の位置の間に配置することができる。所定の実施形態では、ローラーガイド１１０、１１５ａ、１１５ｂを中心部分なしリム１０５の周囲に等間隔で並べることができる。
【００２０】
一つ以上の蠕動ローラー１２０（例えば、蠕動ローラー１２０ａ〜１２０ｄ）を中心部分なしリム１０５と連結することができる。中心部分なしリム１０５が回転すると、複数の蠕動ローラー１２０ａ〜１２０ｄが所定の概ね円周の経路を辿り中心部分なしリム１０５の回転軌道に沿って動くように、一つ以上の蠕動ローラー１２０を中心部分なしリム１０５と連結させることができる。例えば、複数の蠕動ローラー１２０ａ〜１２０ｄが中心部分なしリム１０５の回転軌道に沿って動く時に複数の蠕動ローラー１２０ａ〜１２０ｄが支軸の周りを回転するように、複数の蠕動ローラー１２０ａ〜１２０ｄは中心部分なしリム１０５に支軸を介してボルト留め、さもなければ結合される。このような実施形態または他の実施形態においては、蠕動ローラー１２０が支軸の周りを回転できるので、中心部分なしリム１０５が回転している時に、蠕動ローラー１２０とチューブ３０の間の静的摩擦によって蠕動ローラー１２０がチューブ１３０上を動くにつれて蠕動ローラー１２０が支軸１３５の周りを回転し、チューブ１３０内で送出アクションを発生させる。このような送出アクションがおきるのは、蠕動ローラー１２０が蠕動ローラー１２０の後ろのチューブ１３０の中に負圧を発生させること、および／または蠕動ローラー１２０がチューブ内の材料をチューブ１３０から外に押し出すことによるものである。
【００２１】
チューブ筺体１２５とチューブ１３０は中心部分なしリム１０５と蠕動ローラー１２０ａ〜１２０ｄの近傍に配置できる。特に、チューブ１３０はチューブ支持枠１２５と複数の蠕動ローラー１２０の間に入れて配置できる。チューブ支持枠１２５は複数の蠕動ローラー１２０が辿る円軌道の一部と概ね一致するものとしてよい。中心部分なしリム１０５が回転させられて複数の蠕動ローラー１２０が所定の円周経路を辿るにつれて、複数の蠕動ローラー１２０がチューブ１３０をチューブ支持枠１２５に押しつけて圧縮することができるように、チューブ１３０はチューブ支持枠１２５と複数の蠕動ローラー１２０の近傍に配置される。複数の蠕動ローラー１２０がチューブ１３０を圧縮して所定の円周経路に沿って進むことによって、複数の蠕動ローラー１２０の後ろのチューブ１３０の内部に負圧が発生する。さらに、または代わりに、複数の蠕動ローラー１２０の前のチューブ１３０の内部にある材料を複数の蠕動ローラー１２０が進んで行く方向に押し進めてチューブ１３０から押し出す。
【００２２】
所定の実施形態では、複数の蠕動ローラー１２０間の距離、蠕動ローラー１２０の幅および／もしくは直径、並びに／または蠕動ローラー１２０の数を変えることもできる。これらのパラメータを一つ以上変化させることによって、中心部分なしリム１０５の所定の回転の間にチューブ１３０を通って送出する材料の量を変化させることができる。例えば、中心部分なしリム１０５の直径が２０インチで、直径が２インチで幅が０．７５インチの４個の蠕動ローラーが取り付けられている場合、中心部分なしリム１０５が一回転することによって約８液量オンスを送出できる。さらに別の実施例では、４液量オンスを所望する場合、８個のローラーを用いればよい。さらに、または代わりにチューブ１３０の直径のようなチューブのパラメータを変化させることもできる。
【００２３】
蠕動ローラー１２０によって圧縮された後に元の形に復元できる、弾性を有し柔軟性があり圧縮可能な材料をチューブ１３０は含むものでよい。例えば、チューブ１３０はポリテトラフルオロエチレン（ＰＴＦＥ）、ポリ塩化ビニル（ＰＶＣ）、シリコンゴム、フッ素ポリマ、ニトリルゴム（ＮＢＲ）、合成ゴム、クロロスルホン化ポリエチレン合成ゴム（ＣＳＭ）、シリコン、エチレンプロピレンジエンモノマ（ＥＰＤＭ）ゴム、ＥＰＤＭ＋ポリプロピレン、ポリウレタン、天然ゴム等、またはこれらの混合体からなるものでよい。チューブ支持枠１２５および／または蠕動ローラー１２０は十分な剛性を有し、チューブ支持枠１２５および／または蠕動ローラー１２０の間でチューブ１３０を圧縮できるものであればよい。このような実施形態および他の実施形態において、支持枠１２５および／または蠕動ローラー１２０はチューブ１３０の破裂を防ぐのに十分な平滑さを有する材料および／または表面仕上げからなるものであればよい。さらに、または代わりにチューブ支持枠１２５および／または蠕動ローラー１２０の表面仕上げはチューブ１３０の摩耗を最小限にする、または低減するようなものを選択できる。例えば、蠕動ローラー１２０はポリウレタンまたは他の所定のポリマ材料とすることができる。
【００２４】
所定の実施形態では、中心部分なしプレート１４０を中心部分なしリム１０５と結合させてよく、蠕動ローラーを中心部分なしプレート１４０を介して中心部分なしリム１０５と結合させてよい。例えば、支軸１３５（例えば、１３５ａ〜１３５ｄ）は蠕動ローラー１２０を貫通して中心部分なしプレートと連結させて、その結果蠕動ローラー１２０が支軸１３５の周りを自由に回転できるものでよい。例えば、蠕動ローラー１２０は中心部分なしリムと向かい合う中心部分なしプレート１４０の面と結合させることができる。この中心部分なしプレート１４０の面は蠕動ローラー１２０を結合できる突起部分または特徴部分を含むものでよい。支軸１３５はボルト、ロッド、ポスト、ねじまたは他の連結部品を含むものでよい。所定の実施形態では、支軸１３５を利用して蠕動ローラー１２０を、例えば中心部分なしプレート１４０なしで直接に中心部分なしリム１０５に連結することができる。所定の実施形態では、中心部分なしプレート１４０の大きさおよび形状は中心部分なしリム１０５と概ね同じまたは同様なものとしてよく、その場合中心部分なしリム１０５の材料のない空隙の大きさおよび／または位置は中心部分なしプレート１４０の材料のない空隙と同等となる。このような実施形態および他の実施形態においては、蠕動ローラー１２０が支軸１３５の周りを自由に回転することができるので、中心部分なしリム１０５が回転する時に蠕動ローラー１２０がチューブ１３０上を進むにつれて蠕動ローラー１２０とチューブ１３０の間の静的摩擦によって蠕動ローラー１２０が支軸１３５の周りを回転することになる。
【００２５】
中心部分なしポンプ１００はチューブ１３０に結合する貯蔵器を含むものでよい。所定の実施形態では、この貯蔵器は流体材料を保持し、チューブ１３０と連結する。その結果、中心部分なしポンプを運転させることによって（例えば、複数の蠕動ローラー１２０をチューブ１３０に対して回転させることによって）貯蔵された流体材料がチューブ１３０を通って吸引される。中心部分なしポンプ１００は貯蔵器に結合するチューブ１３０の一端の反対側のチューブ１３０の他端に連結する吐出器を含むものでよい。この吐出器はノズルまたはチューブ１３０からの材料を吐出することを容易にする他の部品若しくは装置を含むものでよい。例えば、複数の蠕動ローラー１２０がチューブ１３０を圧縮すると、チューブ内部に負圧が発生して貯蔵器から流体がチューブ１３０内に吸引される。さらに、または代わりに、複数の蠕動ローラー１２０がチューブ１３０から吐出器を介して流体を外部に押し出す。
【００２６】
中心部分なしポンプ１００は様々な装置のうちのいずれにも利用することができる。例えば、中心部分なしポンプ１００は石鹸、ローション、シャンプー、シロップ、蜂蜜等を含む消費者向け流体のような流体を吐出するのに利用することができる。中心部分なしポンプ１００は静脈注射、透析のような治療行為において用いることができる。所定の実施形態では、中心部分なしポンプ１００の利点はチューブ１３０を通って流れる流体はいずれもチューブ１３０にのみ触れ、他の構成部品（例えば、蠕動ローラー１２０、第１ローラーガイド１１０、中心部分なしリム１０５）には触れないことである。中心部分なしポンプ１００のさらに、または別の利点は中心部分なしポンプ１００の中心部に形成された空隙を用いて、流体貯蔵器、モーター、電池、燃料等の中心部分なしポンプ１００に関連する物を保管することができることである。また、減速ギアの構成を用いれば、従来の交流（ＡＣ）電力ポンプの代わりに小さくて軽い直流（ＤＣ）モーターを使うことが可能になる。このような特徴により、中心部分なしポンプ１００は極めて小型で太陽電池のような代替電力源によっても動力供給できるポンプにしている。中心部分なしポンプ１００は、ＡＣ電力が得られないまたは信頼できなく、しかも連続した送出動作が重要となる（例えば、野戦病院における透析機や移動中の透析機）、野戦病院や他の遠隔地で役に立つ。
【００２７】
本願発明の技術的範囲から逸脱しない範囲で、図１Ａおよび図１Ｂの実施例を変形したり、これらの実施例に要素を追加したり、またはこれらの実施例の一部を省いたりすることができる。例えば、中心部分なしポンプ１００は本明細書に示されるまたは記載されている要素の数よりも多いまたは少ない要素を含むものでよい。例えば、中心部分なしポンプ１００は貯蔵器、モーターまたは電池を含むものでよい。別の実施例として、中心部分なしポンプ１００は３個より少ないローラーガイドを含むものでもよいし、また４個より少ない蠕動ローラーを含むものでもよい。
【００２８】
図２は本明細書の一つ以上の実施形態にしたがうモーター２２０を有する中心部分なしポンプ２００の斜視図を示す。中心部分なしポンプ２００は図１Ａおよび図１Ｂの中心部分なしポンプ１００と同等または類似したものであり、中心部分なしリム２０５（図１Ａおよび図１Ｂの中心部分なしリム１０５と同等または類似する）および第１ローラーガイド２１０（図１Ａおよび図１Ｂの第１ローラーガイド１１０と同等または類似する）を含むものでよい。
【００２９】
所定の実施形態においてモーター２２０は中心部分なしリム２０５の空隙の中に配置できる。モーター２２０はパワーソース２３０から電力を受け取り、モーターを駆動する。所定の実施形態では、モーター２２０は第１ローラーガイド２１０と直接連結させることができる（例えば、モーター２２０の出力シャフトが、第１ローラーガイド２１０がキーにより係止される支軸として用いられ、その結果、出力シャフトと第１ローラーガイド２１０が一体となって動く）。さらに、または代わりに、ベルト２４０または他の機構をモーター２２０と第１ローラーガイド２１０とに係合させて、モーター２２０と第１ローラーガイド２１０を連結して、モーター２２０が回転すると第１ローラーガイド２１０を駆動してもよい。例えば、モーター２２０はベルト２４０とのインタフェースと機能する出力シャフト、出力ギア等を含むものでよい。ベルト２４０は第１ローラーガイド２１０と直接係合してもよいし、間接的に係合させてもよい。例えば、第１ローラーガイド２１０をキーにより支軸に係止させて、当該支軸と第１ローラーガイド２１０が一体となって動くようにし、当該支軸がベルト２４０と係合するギアまたは部分を含むものとすることができる。このようにすれば、モーター２２０に電力供給することによりベルト２４０が回転し、このベルト２４０の回転によって、第１ローラーガイド２１０を回転させることができる。第１ローラーガイド２１０を回転させることにより、第１ローラーガイド２１０が中心部分なしリム２０５に沿って転動する時に、その回転に応じた回転を中心部分なしリム２０５にさせることができる。
【００３０】
モーター２２０は第１ローラーガイド２１０に動力を与えるデバイス、システムまたは部品であればいかなるものを含むものでもよい。例えば、モーター２２０は直流（ＤＣ）モーター、交流（ＡＣ）モーター、ブラシモーター、ブラシレスモーター、分巻電動機、他励電動機、直巻電動機、複巻電動機、永久磁石モーター、サーボモーター、誘導電動機、同期電動機、リニア誘導電動機、同期リニア電動機等のような電気モーターを含むものでよい。他の実施例では、モーター２２０は４ストロークエンジン、ディーゼルエンジン、２ストロークエンジン、ヴァンケルエンジン、アトキンソンエンジン、ノウムロータリーエンジン等のような燃料消費型エンジンを含むものでよい。所定の実施形態では、モーター２２０は１分間に６千回転（ｒｐｍ）よりも速い速度で回転できる小型の高速かつ高回転のＤＣモーターを含むものでよい。
【００３１】
パワーソース２３０はモーター２２０に電力または燃料を与えるデバイス、システムまたは部品であればいかなるものを含むものでもよい。例えば、パワーソース２３０は使い捨て電池(例えば、亜鉛−カーボン電池、アルカリ電池等)、充電可能電池（例えば、鉛酸蓄電池、ニッケル−カドミウム電池、リチウムイオン電池等）、太陽光電池、化石燃料消費型発電機、燃料貯蔵器（例えば、ガソリンのような化石燃料のタンク）、燃料電池等、またはこれらの組み合わせを含むものでよい。パワーソース２３０はモーター２２０と電気的または燃料管で連結すればよい。
【００３２】
本願発明の技術的範囲から逸脱しない範囲で、図２の実施例を変形したり、これらの実施例に要素を追加したり、またはこれらの実施例の一部を省いたりすることができる。例えば、中心部分なしポンプ２００は本明細書に示されるまたは記載されている要素の数よりも多いまたは少ない要素を含むものでよい。例えば、モーター２２０は第１ローラーガイド２１０と直接連結されてもよいし、間接的に連結されてもよい。別の実施例として、中心部分なしポンプ２００は３個より少ないローラーガイドを含むものでもよいし、また４個より少ない蠕動ローラーを含むものでもよい。
【００３３】
図３Ａと図３Ｂは同じ実施例の手動中心部分なしポンプ３００のそれぞれ第一斜視方向から見た第一斜視図と第二斜視方向から見た第二斜視図である。中心部分なしポンプ３００は図１Ａおよび図１Ｂの中心部分なしポンプ１００と同等または類似したものでよい。例えば、中心部分なしポンプ３００は第１中心部分なしリム３０５（図１Ａおよび図１Ｂの中心部分なしリム１０５と同等または類似する）と、第１ローラーガイド３１０（図１Ａおよび図１Ｂの第１ローラーガイド１１０と同等または類似する）と、第２および第３ローラーガイド３１５ａ、３１５ｂ（図１Ａおよび図１Ｂの第２および第３ローラーガイド１１５ａ、１１５ｂと同等または類似する）と、蠕動ローラー３２０ａ〜３２０ｄ（図１Ａおよび図１Ｂの蠕動ローラー１２０ａ〜１２０ｄと同等または類似する）と、チューブ筺体３２５（図１Ａおよび図１Ｂのチューブ筺体１２５と同等または類似する）と、チューブ３３０（図１Ａおよび図１Ｂのチューブ１３０と同等または類似する）とを含むものでよい。
【００３４】
中心部分なしポンプ３００は、第２中心部分なしリム３３５と、第４ローラーガイド３４０と、第５および第６ローラーガイド３４５ａ、３４５ｂとを含むものでよい。第４ローラーガイド３４０と第５および第６ローラーガイド３４５ａ、３４５ｂは所定の形状を有し、第２中心部分なしリム３３５に沿って転動するものでよい。第２中心部分なしリム３３５は、第１中心部分なしリム３０５と同等または類似するものであり、例えばそのサイズが同じもしくは近いものであり、しかも／またはその回転軸に対する位置が同じもしくは近いものである。例えば、第２中心部分なしリム３３５は第４ローラーガイド３４０と第５および第６ローラーガイド３４５ａ、３４５ｂとによって吊られているものでよい。第２中心部分なしリム３３５が回転する時、第４ローラーガイド３４０と第５および第６ローラーガイド３４５ａ、３４５ｂとによって画定される概ね円の軌道の中にある第２中心部分なしリム３３５の中心点を回転中心として回転することができる。所定の実施形態では、第１中心部分なしリム３０５は第１の平面内にあり、第２中心部分なしリム３３５は第２の平面内にあり、第１の平面と第２の平面は概ね平行としてよい。さらに、または代わりに、第１中心部分なしリム３０５の中心点は第１平面内にあり、第２中心部分なしリム３３５の中心点は第２平面内にある。これらの実施形態および他の実施形態において、第１中心部分なしリム３０５と第２中心部分なしリム３３５の中心点は、第１の平面と第２の平面とに概ね垂直な単一の直線上にある。この単一の直線は第１中心部分なしリム３０５と第２中心部分なしリム３３５の回転軸としてよい。このように概ね共通の回転軸を用いることにより、筒状の空隙部を第１中心部分なしリム３０５と第２中心部分なしリム３３５に共通にすることができる。
【００３５】
第１ローラーガイド３１０は第４ローラーガイド３４０と機械的に連結させてよい。図３Ａと図３Ｂに示すように、連続する複数の機械部品により第１ローラーガイド３１０と第４ローラーガイド３４０との機械的連結部が形成されている。例えば、逆転防止軸受３５０は第１ローラーガイド３１０と第４ローラーガイド３４０との間の機械的連結部の一部である。第４ローラーガイド３４０が所定の方向に回転すると第１ローラーガイド３１０が同じ方向に回転するが、第４ローラーガイド３４０が逆の方向に回転すると第１ローラーガイド３１０は回転しないように、逆転防止軸受３５０は第１ローラーガイド３１０と第４ローラーガイド３４０とを連結する。例えば、蠕動ローラー３２０ａ〜３２０ｄの側から見たときに、第４ローラーガイド３４０が反時計方向に回転すると第１ローラーガイド３１０が反時計方向に同じように回転するが、第４ローラーガイド３４０が時計方向に回転すると第１ローラーガイド３１０は回転しない。
【００３６】
第１ローラーガイド３１０と第４ローラーガイド３４０との機械的連結部の一部を形成する部品の別の例は、第１遊星ギア３５５ａと第２遊星ギア３５５ｂのようなギアまたはギアボックスを含むものとすることができる。遊星ギアを用いて第４ローラーガイド３４０と第１ローラーガイド３１０との間の回転軸を支持でき、しかも機械的な利点（または不利な点）がある。例えば、第２中心部なしリム３３５の回転と第１中心部なしリム３０５の回転の間の目標ギア比が１：１のとき、遊星ギアは用いない。しかし、目標ギア比が１：１でないときは（例えば、５：１〜１：５、１：１〜１：５、５：１〜１：１、１：１〜１：３または１：１〜１：１．５）、一つ以上の遊星ギアを用いて目標ギア比を達成する。
【００３７】
所定の実施形態では、ポンプ３００はポンプ筺体３６５を含むものでよい。このような実施形態または他の実施形態においては、第１ローラーガイド３１０と第４ローラーガイド３４０との間の機械的連結部の一つ以上の部品がポンプ筺体３６５によって支持されるものでよい。例えば、第１ローラーガイド３１０と第４ローラーガイド３４０とに共通の支軸はポンプ筺体３６５に軸止できる。別の実施形態では、遊星ギア３５５ａ、３５５ｂの一つ以上がポンプ筺体３６５により支持される。このような実施形態または他の実施形態において、遊星ギア若しくは他のギアボックスの外側ケース、または遊星ギアの内歯車はポンプ筺体３６５と連結できる。第１ローラーガイド３１０と第４ローラーガイド３４０との間の機械的連結部を支持することによって、第１ローラーガイド３１０および／または第４ローラーガイド３４０を支持することになる。第１ローラーガイド３１０および／または第４ローラーガイド３４０を支持することによって、第１ローラーガイド３１０と第４ローラーガイド３４０は共通の単一の支軸の周りを回転できるが、一方支持されない場合第１ローラーガイド３１０と第４ローラーガイド３４０は固定位置で動かないままである。
【００３８】
所定の実施形態では、第１ローラーガイド３１０と第４ローラーガイド３４０との間の連結部は直接連結されたものでよい。例えば、単一の支軸が第１ローラーガイド３１０と第４ローラーガイド３４０で共有されてもよい。このような実施形態または他の実施形態において、第１ローラーガイド３１０と第４ローラーガイド３４０のいずれかのローラーガイドがキーによって該単一の支軸に係止されて、係止された該ローラーガイドと該単一の支軸が一体として動き、もうひとつのローラーガイドは、該単一の支軸に逆転防止軸受または他の同様なラチェット機構を介して連結するものでよい。換言すれば、第４ローラーガイド３４０が一回転方向に所定の回転をすると、その回転に対応する同じ回転を同じ回転方向に第１ローラーガイド３１０が行うが、第４ローラーガイド３４０が反対の回転方向に回転するときは、第１ローラーガイド３１０は回らない。
【００３９】
所定の実施形態では、共通支軸３６０が第２ローラーガイド３１５ａと第５ローラーガイド３４５ａを共に軸支してよい。このような実施形態または他の実施形態において、共通支軸３６０は第１中心部分なしリム３０５および／または第２中心部分なしリム３３５の回転軸と概ね平行としてよい。共通支軸３６０はポンプ筺体３６５に動かないように結合されてよい。例えば、ポンプ筺体３６５は第１中心部分なしリム３０５および／または第２中心部分なしリム３３５の外骨格板として機能させることができる。換言すれば、ポンプ筺体３６５が共通支軸３６０を支持するので、第２ローラーガイド３１５ａと第５ローラーガイド３４５ａとが共通支軸３６０の周りを回転できるが、支持されていなければこれらのガイドは固定位置のままである。このようにすれば、第１中心部分なしリム３０５および／または第２中心部分なしリム３３５はそれぞれ第２ローラーガイド３１５ａと第５ローラーガイド３４５ａに沿って転動しながら、それぞれの中心点を回転中心として回転できる。所定の実施形態においては、第２ローラーガイド３１５ａおよび／または第５ローラーガイド３４５ａは軸受、潤滑および／または第２ローラーガイド３１５ａおよび／または第５ローラーガイド３４５ａが共通支軸３６０の周りを回転するのを容易にする他の特徴を含むものでよい。共通支軸３６０はその一方側（例えば、第２中心部分なしリム３３５に近い側）がポンプ筺体３６５に軸止されてよいし、またその両側が軸止されてもよい。第３ローラーガイド３１５ｂと第６ローラーガイド３４５ｂは類似するまたは同様な共通支軸によって軸支されてよい。
【００４０】
所定の実施形態では、中心部分なしポンプ３００の複数のローラーガイド用の支軸または支持部材は、ばね付勢またはそうでなければそれぞれのリムに付勢されたものでよい。例えば、支軸３６０はポンプ筺体３６５内のスロット内部に配置され、該スロットは第２中心部分なしリム３３５から延設され、第２中心部分なしリム３３５からは離れている。第２ローラーガイド３１５ａが外向きの力を受けて第２中心部分なしリム３３５に押しつけられるように支軸３６０はスロット内でばね付勢されている。例えば、第２ローラーガイド３１５ａを第１中心部分なしリム３０５に向かって引っ張り、さらに第５ローラーガイド３４５ａを第２中心部分なしリム３３５に向かって引っ張るように支軸３６０をばね付勢してもよい。ばねまたは他の付勢部材を用いれば、ローラーガイドと対応する中心部分なしリムの摩擦を増大させることができる。さらに、または代わりに、ばねまたは他の付勢部材を用いれば、ローラーガイドを押してばねまたは他の付勢部材を圧縮してローラーガイドから中心部分なしリムを外すことにより、中心部分なしリムを取り外すことができる。このような付勢をする特徴は本明細書のいずれの実施形態にも適用できる（例えば、図１Ａ、図１Ｂ、図２、図４および／または図５の実施形態）。
【００４１】
中心部分なしポンプ３００はさらにレバーアーム３７０、ハンドル、ラチェットアームまたは第２中心部分なしリム３３５に結合した他の駆動機構を含むものでよい。例えば、レバーアーム３７０は第２中心部分なしリム３３５の例えば１０時の位置に溶接されて、ねじ止めされて、そうでなければ直接結合されてもよい。レバーアーム３７０を引くことによって、第２中心部分なしリム３３５の中心点を回転中心として第２中心部分なしリム３３５が対応する分回転する。例えば、蠕動ローラー３２０ａ〜３２０ｄの側から見て第２中心部分なしリム３３５をクロックに例える場合、レバーアーム３７０が１０時の位置で第２中心部分なしリム３３５に結合されているのならば、レバーアーム３７０を手動で引いて下方に動かすことができる。レバーアーム３７０を下方に引くと、第２中心部分なしリム３３５の中心点を回転中心として第２中心部分なしリム３３５が回転する。第２中心部分なしリム３３５の回転によって、今度は第４ローラーガイド３４０が第２中心部分なしリム３３５に沿って転動しながら第４ローラーガイド３４０が回転する。第４ローラーガイド３４０と第１ローラーガイド３１０とが機械的に連結されているので、第４ローラーガイド３４０が回転する時には、第１ローラーガイド３１０も同じ回転をする。第１ローラーガイド３１０が回転することによって、第１ローラーガイド３１０が第１中心部分なしリム３０５に沿って転動するので第１中心部分なしリム３０５がその中心点を回転中心として回転することができる。第１中心部分なしリム３０５の回転によって、蠕動ローラー３２０ａ〜３２０ｄが第１中心部分なしリム３０５の外周によって画定される概ね円周の経路に沿って転動する。蠕動ローラー３２０ａ〜３２０ｄが前記した概ね円周の経路を辿る時、チューブ３３０はチューブ筺体３２５に押しつけられて圧縮され、蠕動ローラー３２０ａ〜３２０ｄの後ろのチューブ３３０の内部に負圧を発生させる。さらに、または代わりに、チューブ３３０の中にある材料はすべて蠕動ローラー３２０ａ〜３２０ｄによってチューブ３３０の外に押し出される。
【００４２】
第２中心部分なしリム３３５に１０時の位置で結合したレバーアーム３７０にしたがうと、レバーアーム３７０が下方に動ける範囲はストッパまたは他の特徴部分によって制限され、その結果第２中心部分なしリム３３５が反時計方向に回転できる範囲が制限される。所定の実施形態では、レバーアーム３７０は上方に押されていてもよく、またはばね、または他の付勢部材によって原位置（例えば、１０時の位置）に戻ってもよい。別のストッパまたは他の特徴部分によってレバーアーム３７０が上方に動ける範囲が制限されて原位置に戻る。レバーアーム３７０が原位置に戻る時に第２中心部分なしリム３３５は時計方向に回転して戻るが、その時第４ローラーガイド３４０は時計方向に対応する回転をする。第１ローラーガイド３１０と第４ローラーガイド３４０の機械的な連結によって、第１ローラーガイド３１０が時計方向に対応するいかなる回転することも阻止される。例えば、逆転防止軸受または別のラチェット等の機構を用いることにより、第４ローラーガイド３４０が時計方向に回転する時第１ローラーガイド３１０は自由に動けるが、一方第４ローラーガイド３４０が反時計方向に回転する時第４ローラーガイド３４０は第１ローラーガイド３１０と係合している。
【００４３】
所定の実施形態では、チューブ３３０の第１端は材料貯蔵器に接続される。例えば、材料貯蔵器は流体材料を内蔵し、第１中心部分なしリム３０５と第２中心部分なしリム３３５の中心部分内の筒状の空隙中に配置される。これらの実施形態および他の実施形態において、ノズル３７５がチューブ３３０の第２端に接続され、チューブ３３０からの材料の吐出を容易にすることができる。例えば、ノズル３７５はチューブ３３０からの材料の出ていく流れを所定の方向に向ける形または形状にしてよい。所定の実施形態では、ノズル３７５は瓶のような収納容器３８０内の材料をチューブ３３０から吐出する形および／または構造を有している。
【００４４】
本願発明の技術的範囲から逸脱しない範囲で、図３Ａおよび図３Ｂの実施例を変形したり、これらの実施例に要素を追加したり、またはこれらの実施例の一部を省いたりすることができる。例えば、中心部分なしポンプ３００は本明細書に示されるまたは記載されている要素の数よりも多いまたは少ない要素を含むものでよい。例えば、中心部分なしポンプ３００は中心部分なしポンプ３００の中心部分内の空隙中に貯蔵器を含んでよい。別の実施例では、中心部分なしポンプ３００は第１中心部分なしリム３０５または第２中心部分なしリム３３５のいずれかに対して３個より少ないローラーガイドを含むものでもよいし、また４個より少ない蠕動ローラーを含むものでもよい。
【００４５】
図４は本明細書に一つ以上の実施形態にしたがう貯臓器４１０を有する実施例の中心部分なしポンプ４００の斜視図である。中心部分なしポンプ４００は図１Ａおよび図１Ｂの中心部分なしポンプ１００と類似または同様のものである。中心部分なしポンプ４００は中心部分なしポンプ４００の中心部分内に空隙を含むものでよい。図４に示すように、材料の貯蔵器４１０はこの空隙中に保持できる。この空隙を用いると、他の従来型のポンプに比べて設置面積を小さくすることができる。このような空間を節約できることは、店舗内、手術室内、貨物飛行機内（例えば、野戦病院への補給）、またはスペースシャトルの仕切り室内のような空間が貴重な状況では有利である。
【００４６】
本願発明の技術的範囲から逸脱しない範囲で、図４の実施例を変形したり、これらの実施例に要素を追加したり、またはこれらの実施例の一部を省いたりすることができる。中心部分なしポンプ４００は本明細書に示されるまたは記載されている要素の数よりも多いまたは少ない要素を含むものでよい。例えば、中心部分なしポンプ４００は３個より少ないローラーガイドを含むものでもよいし、また４個より少ない蠕動ローラーを含むものでもよい。
【００４７】
図５Ａおよび図５Ｂは実施例のポンプ５００ａ、５００ｂの一部分の断面図である。ポンプ５００ａ、５００ｂは実施例の外形を示し、中心部分なしリム（例えば、図５Ａ中の凹形中心部分なしリム５０５ａおよび図５Ｂ中の凸形中心部分なしリム５０５ｂ）およびローラーガイド（例えば、図５Ａ中の凸形ローラーガイド５１０ａおよび図５Ｂ中の凹形ローラーガイド５１０ｂ）の係数を形成する。
【００４８】
所定の実施形態では、第１ローラーガイド５１０ａ、５１０ｂの形状または外形はそれぞれ対応する中心部分なしリム５０５ａ、５０５ｂの形状または外形に合致する。例えば、図５Ａに示すように、第１ローラーガイド５１０ａは凸形の形状を有し、中心部分なしリム５０５ａは凹形の形状を有する。別の例では、図５Ｂに示すように、第１ローラーガイド５１０ｂは凹形の形状を有し、中心部分なしリム５０５ｂは凸形の形状を有する。残りの発明の詳細な説明は図５Ａを参照するが、該説明は図５Ｂにも同じように当てはまるものである。
【００４９】
第１ローラーガイド５１０ａと中心部分なしリム５０５ａの間の静的摩擦によって、最小限の摩擦ロスでしかも第１ローラーガイド５１０ａの表面を擦ることも最小限に抑えて、中心部分なしリム５０５ａを回転させることができる。例えば、第１ローラーガイド５１０ａと中心部分なしリム５０５ａの形状および／または外形が概ね合致しているので、第１ローラーガイド５１０ａと中心部分なしリム５０５ａの間の表面が最大にできる。そのため、第１ローラーガイド５１０ａと中心部分なしリム５０５ａの滑りを少なくすることができる。
【００５０】
所定の実施形態では、第１ローラーガイド組立部５１１ａは第１逆転防止軸受５１２を有する。所定の実施形態では、第１ブリッジ駆動シャフトはキー５１４を有する駆動シャフトを含むものでよい。キー５１４は第１ローラーガイド５１０ａを第１ブリッジ駆動シャフト５１３ａに係止し、第１ブリッジ駆動シャフト５１３ａと第１ローラーガイド５１０ａが一体となって動く（例えば、第１ブリッジ駆動シャフト５１３ａが回転する時、第１ローラーガイド５１０ａも回転する）。このキー５１４を用いれば、第１ブリッジ駆動シャフト５１３ａが回転する時、中心部分なしリム５０５ａの内側部分と第１ローラーガイド５１０ａの間の静的摩擦によって中心部分なしリム５０５ａが回転させられる。所定の実施形態では、第１ローラーガイド５１０ａは入力側ギアとして機能し、中心部分なしリム５０５ａの内側部分が出力ギアとして機能し、これらが第一段のギア減速を構成する。例えば、このギア減速には４０対１と２対１の間のギア比が含まれる。
【００５１】
本願発明の技術的範囲から逸脱しない範囲で、図５Ａまたは図５Ｂの実施例を変形したり、これらの実施例に要素を追加したり、またはこれらの実施例の一部を省いたりすることができる。中心部分なしポンプ５００ａおよび／またはポンプ５００ｂは本明細書に示されるまたは記載されている要素の数よりも多いまたは少ない要素を含むものでよい。例えば、第１ローラーガイド５１０ａおよび／または中心部分なしリム５０５ａはいかなる形状、形または外形のものでもよい。
【００５２】
本明細書の様々な実施形態において、中心部分なしポンプの寸法は、中心部分なしポンプが用いられる用途にしたがって修正または変更することができる。例えば、中心部分なしポンプのサイズが極めて小さくすると（例えば、中心部分なしリムの直径が１０インチ未満、５インチ未満または１インチ未満にできる）、小容量（例えば、ミリリットル以下）を送出できる。さらに、または代わりに、中心部分なしポンプのサイズは極めて大きくすると（例えば、中心部分なしリムの直径が数十フィートにできる）、大容量（例えば、数ガロンまたは数十ガロン）を送出できる。
【００５３】
本明細書で用いられる用語、特に特許請求の範囲で用いられる用語（例えば、特許請求の範囲の主要部）は、概ね「開放」的な意味を有する用語である（例えば、「含む」という語は「含みが、それだけとは限らない」と解釈されなければならないし、「有する」という語は「少なくとも…を有する」と解釈されなければならないし、「含んでいる」は「含んでいるが、それだけとは限らない」と解釈されなければならないし、「包含する」という語は「包含するが、それだけとは限らない」と解釈されなければならない）。
【００５４】
さらに、特許請求の範囲の請求項記載事項の特定の数がその数のみを出願人が意図している場合は、その請求項中にその特定の数のみを意図していることがはっきりと述べられている。はっきりと特定の数のみを意図していることが記述されていないときは、その特定の数のみを意図しているのではない。例えば、理解を助けるために述べるが、特許請求の範囲に請求項記載事項を紹介するために「少なくとも一つ」または「一つ以上」という導入句が使用されるときがある。しかしながら、このような句の使用することによって、不定冠詞「ａ」または「ａｎ」によるそのように導入された請求項記載事項を含む任意の請求項は、同じ請求項中に不定冠詞「少なくとも一つ」または「一つ以上」という句および「ａ」または「ａｎ」が含まれる場合でも、該請求項記載事項がたった一つであると限定して解釈してはいけない（例えば、「ａ」および／または「ａｎ」は「少なくとも一つ」または「一つ以上」を意味すると解釈しなければならない）。同じことは請求項記載事項を導入する定冠詞にも当てはまる。
【００５５】
付け加えると、紹介される請求項記載事項の特定の数がはっきりと記述されているときでも、当業者ならばそのような記述は少なくともその特定の数を意味すると解釈」されなければならないことに気がつくはずである（例えば、変形例なしの「２つの記載事項」というのみの記述は少なくとも２つの記載事項、または２つ以上の記載事項を意味すると解釈されなければならない）。さらに、「Ａ、Ｂ、Ｃ等のうちの少なくとも一つ」または「Ａ、Ｂ、Ｃ等のうちの一つ以上」のに似た慣習的な句が用いられる場合、通常そのような構成は、「Ａのみ」、「Ｂのみ」、「Ｃのみ」、「ＡとＢともに」、「ＡとＣともに」、「ＢとＣともに」、または「Ａ、ＢおよびＣともに」等を含むことを意図するものである。
【００５６】
さらに、択一される２つ以上の意味を表す孤立した語または句は、発明の詳細な説明、特許請求の範囲または図面のどの書類中にあっても、いずれも２つ以上の意味の一つ、２つ以上の意味のいずれか、または２つ以上の意味のすべてを含む可能性を考慮して解釈されなければならない。例えば、「ＡまたはＢ」は「Ａ」、「Ｂ」並びに「ＡおよびＢ」の可能性を含むように解釈されなければならない。
【００５７】
本明細書中に記述された実施例および条件付きの表現はすべて読む人が本明細書の開示内容および本願発明者が従来技術を発展に影響を及ぼした発明概念を理解しやすいようにする教示を目的としたものであり、これらの実施例や条件に限定されるものではないと解釈されなければならない。本明細書の実施例は詳細に説明されているが、本願発明の技術的範囲を逸脱しないでこれらの実施例に様々な変更、代替および修正を加えることが可能である。
【図１Ａ】
2019515174.tif 000003
【図１Ｂ】
2019515174.tif 000004
【図２】
2019515174.tif 000005
【図３Ａ】
2019515174.tif 000006
【図３Ｂ】
2019515174.tif 000007
【図４】
2019515174.tif 000008
【図５Ａ】
2019515174.tif 000009
【図５Ｂ】
2019515174.tif 000010
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
中心部分なしリムと、
前記中心部分なしリムに沿って転動して、前記中心部分なしリムを回転させる被駆動ローラーガイドと、
前記中心部分なしリムと結合し、前記中心部分なしリムが回転することにより回動する蠕動ローラーと、
前記蠕動ローラーの近傍に配置されて、前記中心部分なしリムが回転すると前記蠕動ローラーによって圧縮されるチューブと、を有するデバイス。
【請求項２】
前記被駆動ローラーガイドはモーターによって駆動される請求項１に記載するデバイス。
【請求項３】
前記中心部分なしリムと概ね平行な第２中心部分なしリムと、
前記第２中心部分なしリムに沿って転動する第２ローラーガイドであって、前記被駆動ローラーガイドと共通の回転軸を有する第２ローラーガイドと、をさらに有する請求項１に記載するデバイス。
【請求項４】
前記被駆動ローラーガイドの支軸が第１の方向に回転すると前記被駆動ローラーガイドは前記第１の方向に回転し、前記被駆動ローラーガイドの支軸が第２の方向に回転すると前記被駆動ローラーガイドは前記第１の方向に回転し続けるように被駆動ローラーガイドと結合した逆転防止軸受をさらに有する請求項１に記載するデバイス。
【請求項５】
前記中心部分なしリムに結合する中心部分なしプレートをさらに有し、前記蠕動ローラーは前記中心部分なしプレートを介して前記中心部分なしリムに結合する請求項１に記載するデバイス。
【請求項６】
前記中心部分なしプレートと動かないように結合した前記蠕動ローラー用の支軸をさらに有し、前記蠕動ローラーは前記支軸の周りを自由に回転する請求項５に記載するデバイス。
【請求項７】
前記チューブと連結した流体貯蔵器をさらに有し、前記蠕動ローラーが前記チューブを圧縮すると前記チューブ内に負圧が発生して前記流体貯蔵器から流体を吸引して前記チューブ内に入れる請求項１に記載するデバイス。
【請求項８】
前記流体は石鹸、ローション、シャンプーまたは蜂蜜のうちの一つを含む消費者向け液体である請求項７に記載するデバイス。
【請求項９】
前記チューブの遠位端部にノズルをさらに有し、前記ノズルが前記チューブから前記流体を吐出するのを容易にする請求項７に記載するデバイス。
【請求項１０】
チューブ筺体をさらに有し、前記蠕動ローラーによって圧縮される前記チューブが前記チューブ筺体に押しつけられる請求項１に記載するデバイス。
【請求項１１】
前記被駆動ローラーガイドが前記中心部分なしリムに対して付勢されている請求項１に記載するデバイス。
【請求項１２】
前記被駆動ローラーガイドを前記中心部分なしリムに対して付勢するばねをさらに有する請求項１１に記載するデバイス。
【請求項１３】
前記被駆動ローラーガイドの半径に比較した前記中心部分なしリムの半径の比は５：１と１：１の間である請求項１に記載するデバイス。
【請求項１４】
前記蠕動ローラーによって圧縮された後、元の形状に戻るような弾性的に変形する材料から前記チューブはできている請求項１に記載するデバイス。
【請求項１５】
中心部分なしリムと、
前記中心部分なしリムに沿って転動する複数のローラーガイドと、
前記中心部分なしリムと結合し、前記中心部分なしリムが回転している時に回動する蠕動ローラーと、
前記蠕動ローラーの近傍に配置されて、前記中心部分なしリムが回転すると前記蠕動ローラーによって圧縮されるチューブと、を有するデバイス。
【請求項１６】
チューブ筺体をさらに有し、前記蠕動ローラーによって圧縮される前記チューブが前記チューブ筺体に押しつけられる請求項１５に記載するデバイス。
【請求項１７】
前記複数のローラーガイドの少なくとも一つはモーターによって駆動される請求項１５に記載するデバイス。
【請求項１８】
中心部分なしリムと、
前記中心部分なしリムに沿って転動するローラーガイドと、
前記中心部分なしリムと結合し、前記中心部分なしリムが回転している時に回動する複数の蠕動ローラーと、
前記複数の蠕動ローラーの近傍に配置されて、前記中心部分なしリムが回転すると前記複数の蠕動ローラーによって圧縮されるチューブと、を有するデバイス。
【請求項１９】
チューブ筺体をさらに有し、前記複数の蠕動ローラーによって圧縮される前記チューブが前記チューブ筺体に押しつけられる請求項１８に記載するデバイス。
【請求項２０】
前記中心部分なしリムと概ね平行な第２中心部分なしリムと、
前記第２中心部分なしリムに沿って転動する第２ローラーガイドであって、前記ローラーガイドと共通の回転軸を有する第２ローラーガイドと、をさらに有する請求項１８に記載するデバイス。
【国際調査報告】
2019515174.tif 000011